(57)【特許請求の範囲】
【請求項１】
取得された映像番組の経時的な視聴率データに基づいて指定された時間範囲における指定された視聴率データを画像表示装置に表示する視聴率分析装置であって、
過去の所定の期間にわたって複数のチャンネルで放送された映像番組の映像データを蓄積し、指定された映像番組の映像データを送出する映像データベースに接続され、
１又は複数のチャンネル及び指定時間範囲を設定する手段と、
指定された前記時間範囲おける指定された前記チャンネルで放送された前記映像データを前記映像データベースから取得する手段と、
指定された前記時間範囲における前記チャンネルの前記視聴率データに基づいて、前記画像表示装置に前記チャンネルの視聴率の変化を示す視聴率グラフを表示する視聴率グラフ描画データを生成する手段と、
前記映像データベースから取得した前記映像データに基づいて、前記画像表示装置に再生映像を表示するための表示用映像データを生成する手段と、
生成された前記表示用映像データ及び前記視聴率グラフ描画データに基づいて、選択した各チャンネルの同時刻における再生映像及び前記視聴率グラフを前記画像表示装置の一つの画面に表示するとともに、直前の分指定、分の頭指定及び直後の分指定を行うための分刻み送り指定部を前記画面に表示する手段と、
前記画面に表示された前記視聴率グラフに基づいて所望の時刻と所望のチャンネルを指定する手段と、
前記映像データベースから前記指定された時刻における所望のチャンネルの所望の番組の映像データを取得する手段と、を備え、
前記直前の分指定、前記分の頭指定又は前記直後の分指定により、前記再生映像及び前記視聴率グラフの表示を、現在表示している視聴率を測定した時刻の１分前の測定開始時、現在表示している視聴率を測定した時刻の分の開始時又は現在表示している視聴率を測定した時刻の１分後の測定開始時に移動させることを特徴とする視聴率分析装置。
【請求項２】
前記画像表示装置に表示された前記各チャンネルの再生映像は、指定された複数の前記チャンネルにおける再生映像が同時に表示されることを特徴とする請求項１に記載の視聴率分析装置。
【請求項３】
表示された前記視聴率グラフの時間軸から所望の時刻を指定する入力手段を備え、
指定された時刻における前記各チャンネルの再生映像を表示することを特徴とする請求項１又は請求項２に記載の視聴率分析装置。
【請求項４】
異なる日に放送された同一チャンネルの同一番組についての前記視聴率データを抽出して取得する手段と、
前記映像データベースから異なる日に放送された同一チャンネルの前記同一番組について指定された前記時間範囲の前記映像データを抽出して取得する手段と、
を備えることを特徴とする請求項１から請求項３までのいずれかに記載の視聴率分析装置。
【請求項５】
指定したチャンネルの指定した時間範囲において視聴率が極大となった時刻及び極小となった時刻を、前記視聴率データから検出する手段と、
前記画像表示装置に表示された視聴率グラフの中に検出した前記時刻の座標位置を表示する手段と、
前記取得した映像データから検出した時刻における再生映像を表示する映像データを生成する手段と、
を備えることを特徴とする請求項１から請求項４までのいずれかに記載の視聴率分析装置。
【請求項６】
テレビ放送の番組に関する詳細情報であるメタデータを格納したメタデータデータベースに接続され、取得したメタデータを前記画像表示装置に表示することを特徴とする請求項１から請求項５までのいずれかに記載の視聴率分析装置。
【請求項７】
請求項１から請求項６までのいずれかに記載の視聴率分析装置と、
過去の所定の期間にわたって複数のチャンネルで放送された映像番組の映像データを蓄積し、指定された映像番組の映像データを送出する映像データベースと、
映像番組の経時的な視聴率データに基づいて指定された時間範囲における指定されたチャンネルの視聴率データを提供する手段と、
を備えることを特徴とする視聴率分析システム。
【請求項８】
過去に放送された映像番組の視聴率データから、要求に基づいて指定された時間範囲における所望の視聴率データを表示する視聴率分析方法であって、
指定された時間範囲と指定された前記チャンネルとを受け付けるステップと、
指定された前記時間範囲における指定された前記チャンネルの映像データを取得するステップと、
前記視聴率データから指定された前記時間範囲を含む視聴率グラフを生成するステップと、
取得した前記チャンネルの映像データ及び前記視聴率グラフを同時に表示するとともに、直前の分指定、分の頭指定及び直後の分指定を行うための分刻み送り指定部を前記画面に表示するステップと、
前記画面に表示された前記視聴率グラフに基づいて所望の時刻と所望のチャンネルを指定するステップと、
前記映像データベースから前記指定された時刻における所望のチャンネルの所望の番組の映像データを取得するステップと、を備え、
前記直前の分指定、前記分の頭指定又は前記直後の分指定により、前記再生映像及び前記視聴率グラフの表示を、現在表示している視聴率を測定した時刻の１分前の測定開始時、現在表示している視聴率を測定した時刻の分の開始時又は現在表示している視聴率を測定した時刻の１分後の測定開始時に移動させることを特徴とする視聴率分析方法。
【請求項９】
過去に放送された映像番組の視聴率データから、要求に基づいて指定された時間範囲における所望の視聴率データを表示するに際して、
指定された時間範囲と指定された前記チャンネルとを受け付けるステップと、
指定された前記時間範囲における指定された前記チャンネルの映像データを取得するステップと、
前記視聴率データから指定された前記時間範囲を含む視聴率グラフを生成するステップと、
取得した前記チャンネルの映像データ及び前記視聴率グラフを同時に表示するとともに、直前の分指定、分の頭指定及び直後の分指定を行うための分刻み送り指定部を前記画面に表示するステップと、
前記画面に表示された前記視聴率グラフに基づいて所望の時刻と所望のチャンネルを指定するステップと、
前記映像データベースから前記指定された時刻における所望のチャンネルの所望の番組の映像データを取得するステップと、を備え、
前記直前の分指定、前記分の頭指定又は前記直後の分指定により、前記再生映像及び前記視聴率グラフの表示を、現在表示している視聴率を測定した時刻の１分前の測定開始時、現在表示している視聴率を測定した時刻の分の開始時又は現在表示している視聴率を測定した時刻の１分後の測定開始時に移動させる処理をコンピュータに実行させるための視聴率分析プログラム。
【発明の詳細な説明】
【技術分野】
【０００１】
本発明は、テレビ放送の視聴率を詳細に分析することができる視聴率分析装置、視聴率分析システム、視聴率分析方法、及び視聴率分析プログラムに関する。
【背景技術】
【０００２】
現在、テレビ放送における視聴率は、各テレビ局の各テレビ番組について時系列的に調査されており、この視聴率を分析することにより、さまざまな情報を得ることができる。視聴率の分析を行う技術として以下のものがある。
【０００３】
特許文献１には、テレビで放送したコマーシャル（ＣＭ：commercialmessage）の解析をする技術が記載されている。即ち、特許文献１には、放送局別視聴率データとＣＭ映像データが入力された後、分析対象となるＣＭの条件をユーザーが選択し、入力されたデータからその条件に合致したデータを取得・照合、分析対象ＣＭ毎に歩留まり率の計算等をした後プログラムを終了するものが記載される。この技術によれば、得られたＣＭ視聴率分析データ、分析対象のＣＭチャンス直前視聴率（又は、ＣＭが放送された番組平均視聴率）とＣＭ放送時視聴率と、他の放送局における放送状況とを対応付けて把握することができる。
【０００４】
また、特許文献２には、個人別の視聴率データに基づいて平均視聴率分析、流入・流出分布分析、個人情報表示分析等の視聴率の分析を行う個人視聴率分析システムが記載されている。即ち、特許文献２には、視聴率データベースサーバー上に、標本番号及び個人番号をキーとする個人視聴データを記憶した個人視聴データファイルと、標本番号及び個人
番号をキーとする個人の属性情報からなる個人標本データを記憶した個人標本データファイルと、放送番組のタイムテーブルを記憶した放送番組タイムテーブルファイルと、ＣＭ放映データを記憶したＣＭ放映データファイルとを備えて、個人の時間単位での平均視聴率、基準放送局に対する流入・流出、指定番組視聴回数の分析を行う。また、個人視聴率標本カルテを作成して、個人の番組、放送局の嗜好を分析するようにする。
【特許文献１】特開２００１−３５２３０８号公報
【特許文献２】特開２００３−１８９３３２号公報
【発明の開示】
【発明が解決しようとする課題】
【０００５】
しかし、従来の視聴率の分析技術にあっては、分析対象が視聴率データだけであり、実際に放送されたテレビ番組の内容と対応付けて分析を行えないという問題がある。即ち、実際に放送されたテレビ番組の内容が視聴率にどのような影響を与えているか、又は、同時刻に他局で放送されているテレビ番組の内容が視聴率にどのような影響を与えているかを分析することが簡単にはできない。
【０００６】
そこで、本発明は、放送された自番組の内容や他番組の内容が視聴率にどのような影響を与えるかを時系列的に容易に分析できる視聴率分析サーバー、視聴率分析システム、及び視聴率分析方法を提供することを目的とする。
【課題を解決するための手段】
【０００７】
前記課題を解決する請求項１の発明は、  取得された映像番組の経時的な視聴率データに基づいて指定された時間範囲における指定された視聴率データを画像表示装置に表示する視聴率分析装置であって、過去の所定の期間にわたって複数のチャンネルで放送された映像番組の映像データを蓄積し、指定された映像番組の映像データを送出する映像データベースに接続され、１又は複数のチャンネル及び指定時間範囲を設定する手段と、指定された前記時間範囲おける指定された前記チャンネルで放送された前記映像データを前記映像データベースから取得する手段と、指定された前記時間範囲における前記チャンネルの前記視聴率データに基づいて、前記画像表示装置に前記チャンネルの視聴率の変化を示す視聴率グラフを表示する視聴率グラフ描画データを生成する手段と、
前記映像データベースから取得した前記映像データに基づいて、前記画像表示装置に再生映像を表示するための表示用映像データを生成する手段と、生成された前記表示用映像データ及び前記視聴率グラフ描画データに基づいて、選択した各チャンネルの同時刻における再生映像及び前記視聴率グラフを前記画像表示装置の一つの画面に表示するとともに、直前の分指定、分の頭指定及び直後の分指定を行うための分刻み送り指定部を前記画面に表示する手段と、前記画面に表示された前記視聴率グラフに基づいて所望の時刻と所望のチャンネルを指定する手段と、前記映像データベースから前記指定された時刻における所望のチャンネルの所望の番組の映像データを取得する手段と、を備え、前記直前の分指定、前記分の頭指定又は前記直後の分指定により、前記再生映像及び前記視聴率グラフの表示を、現在表示している視聴率を測定した時刻の１分前の測定開始時、現在表示している視聴率を測定した時刻の分の開始時又は現在表示している視聴率を測定した時刻の１分後の測定開始時に移動させることを特徴とする。
【０００８】
請求項１に記載の視聴率分析装置によれば、指定された時間範囲における視聴率グラフの描画データと、映像データベースから取得した映像データの表示用映像データとを生成し、指定された時間範囲の指定されたチャンネルの視聴率グラフと、指定されたチャンネルの再生映像とを画像表示装置に表示することができる。これにより、視聴率グラフと再生映像とを同時に参照して容易に視聴率の分析を行うことができる。
【０００９】
同じく請求項２の発明は、請求項１に記載の視聴率分析装置において、前記画像表示装置に表示された前記各チャンネルの再生映像は、指定された複数の前記チャンネルにおける再生映像が同時に表示されることを特徴とする。
請求項２に記載の視聴率分析装置によれば、画像表示装置には、複数チャンネルの再生映像を同時に表示できる。このため、複数チャンネルの画像の内容を一度に把握でき、視聴率グラフに表示される視聴率の変動と放送された映像との関連を容易に把握できる。
【００１０】
同じく請求項３の発明は、請求項１又は請求項２に記載の視聴率分析装置において、表
示された前記視聴率グラフの時間軸から所望の時刻を指定する入力手段を備え、指定された時刻における前記各チャンネルの再生映像を表示することを特徴とする。
請求項３に記載の視聴率分析装置によれば、視聴率グラフの時間軸から容易に時刻を指定し、指定した時刻の映像を表示できる。このため、視聴率グラフを参照して視聴率が変動した時刻における各チャンネルの映像を同時に観察でき、視聴率の変動と映像の内容変化との関係を容易に分析できる。
【００１１】
同じく請求項４の発明は、請求項１から請求項３までのいずれかに記載の視聴率分析装置において、異なる日に放送された同一チャンネルの同一番組についての前記視聴率データを抽出して取得する手段と、前記映像データベースから異なる日に放送された同一チャンネルの前記同一番組について指定された前記時間範囲の前記映像データを抽出して取得する手段と、を備えることを特徴とする。
請求項４に記載の視聴率分析装置によれば、異なる日に放送された同一チャンネルの同一番組であるいわゆる帯番組についての視聴率データから生成した前記番組の各日付における経時的な視聴率を同時に表示する帯番組視聴率グラフと、異なる日に放送された同一チャンネルの同一番組について指定された時間範囲の再生映像を表示できる。このため、異なる日に放送された同一チャンネルの帯番組についての視聴率の分析を容易に解析できる。
【００１２】
同じく請求項５の発明は、請求項１から請求項４までのいずれかに記載の視聴率分析装置において、指定したチャンネルの指定した時間範囲において視聴率が極大となった時刻及び極小となった時刻を、前記視聴率データから検出する手段と、前記画像表示装置に表示された視聴率グラフの中に検出した前記時刻の座標位置を表示する手段と、前記取得した映像データから検出した時刻における再生映像を表示する映像データを生成する手段と、を備えることを特徴とする。
請求項５に記載の視聴率分析装置によれば、視聴率が極大又は極小となった時刻を容易に検出し、そのときの再生映像を表示できる。このため、視聴率の変化の原因を子細に解析することができる。
【００１３】
同じく請求項６の発明は、請求項１から請求項５までのいずれかに記載の視聴率分析装置において、テレビ放送の番組に関する詳細情報であるメタデータを格納したメタデータデータベースに接続され、取得したメタデータを前記画像表示装置に表示することを特徴とする。
請求項６に記載の視聴率分析装置によれば、メタデータを画像表示装置に表示できる。このため、メタデータを参照して視聴率をより詳細に分析できる。
【００１４】
同じく請求項７の発明は、請求項１から請求項６までのいずれかに記載の視聴率分析装置と、過去の所定の期間にわたって複数のチャンネルで放送された映像番組の映像データを蓄積し、指定された映像番組の映像データを送出する映像データベースと、映像番組の経時的な視聴率データに基づいて指定された時間範囲における指定されたチャンネルの視聴率データを提供する手段と、を備えることを特徴とする視聴率分析システムである。
請求項７に記載の視聴率分析システムによれば、指定された時間範囲における視聴率グラフと、指定されたチャンネルで放送されたテレビ映像の再生映像とを同時に表示できる。このため容易に視聴率の分析を行うことができる。また、自番組の内容や他番組の内容が視聴率にどのような影響を与えるかを時系列的に容易に分析できる。
【００１５】
同じく請求項８の発明は、過去に放送された映像番組の視聴率データから、要求に基づいて指定された時間範囲における所望の視聴率データを表示する視聴率分析方法であって、指定された時間範囲と指定された前記チャンネルとを受け付けるステップと、指定された前記時間範囲における指定された前記チャンネルの映像データを取得するステップと、前記視聴率データから指定された前記時間範囲を含む視聴率グラフを生成するステップと、取得した前記チャンネルの映像データ及び前記視聴率グラフを同時に表示するとともに、直前の分指定、分の頭指定及び直後の分指定を行うための分刻み送り指定部を前記画面に表示するステップと、前記画面に表示された前記視聴率グラフに基づいて所望の時刻と所望のチャンネルを指定するステップと、前記映像データベースから前記指定された時刻における所望のチャンネルの所望の番組の映像データを取得するステップと、を備え、前記直前の分指定、前記分の頭指定又は前記直後の分指定により、前記再生映像及び前記視聴率グラフの表示を、現在表示している視聴率を測定した時刻の１分前の測定開始時、現在表示している視聴率を測定した時刻の分の開始時又は現在表示している視聴率を測定した時刻の１分後の測定開始時に移動させることを特徴とする視聴率分析方法である。
請求項８に記載の視聴率分析方法によれば、指定された時間範囲における視聴率グラフと、指定されたチャンネルで放送されたテレビ映像の再生映像を同時に表示できる。このため容易に視聴率の分析を行うことができる。また、自番組の内容や他番組の内容が視聴率にどのような影響を与えるかを時系列的に容易に分析できる。
【００１６】
請求項９記載の発明にあっては、過去に放送された映像番組の視聴率データから、要求に基づいて指定された時間範囲における所望の視聴率データを表示するに際して、指定された時間範囲と指定された前記チャンネルとを受け付けるステップと、指定された前記時間範囲における指定された前記チャンネルの映像データを取得するステップと、前記視聴率データから指定された前記時間範囲を含む視聴率グラフを生成するステップと、取得した前記チャンネルの映像データ及び前記視聴率グラフを同時に表示するとともに、直前の分指定、分の頭指定及び直後の分指定を行うための分刻み送り指定部を前記画面に表示するステップと、前記画面に表示された前記視聴率グラフに基づいて所望の時刻と所望のチャンネルを指定するステップと、前記映像データベースから前記指定された時刻における所望のチャンネルの所望の番組の映像データを取得するステップと、を備え、前記直前の分指定、前記分の頭指定又は前記直後の分指定により、前記再生映像及び前記視聴率グラフの表示を、現在表示している視聴率を測定した時刻の１分前の測定開始時、現在表示している視聴率を測定した時刻の分の開始時又は現在表示している視聴率を測定した時刻の１分後の測定開始時に移動させる処理をコンピュータに実行させることを特徴とする視聴率分析プログラムである。
請求項９に記載の視聴率分析プログラムによれば、コンピュータにおいて、指定された時間範囲における視聴率グラフと、指定されたチャンネルで放送されたテレビ映像の再生映像を同時に表示できる。このためコンピュータで容易に視聴率の分析を行うことができる。また、自番組の内容や他番組の内容が視聴率にどのような影響を与えるかを時系列的に容易に分析できる。
【発明の効果】
【００１７】
本発明によれば、自他番組に関する視聴率グラフと放送された番組の再生映像とを同時に画像表示装置に表示できるので、番組の内容が視聴率にどのような影響を与えたかを時系列的に容易に分析できる。
また、本発明は、直前の分指定、分の頭指定及び直後の分指定を行うための分刻み送り指定部を前記画面に表示する手段及びステップを備えていることから、前記直前の分指定、前記分の頭指定又は前記直後の分指定により、前記再生映像及び前記視聴率グラフの表示を、現在表示している視聴率を測定した時刻の１分前の測定開始時、現在表示している視聴率を測定した時刻の分の開始時又は現在表示している視聴率を測定した時刻の１分後の測定開始時に移動させることにより、分単位での視聴率分析が可能となる。
【図面の簡単な説明】
【００１８】
【図１】本発明の実施形態に係る視聴率分析システムの構成を示す模式図である。
【図２】同実施形態に係る視聴率分析装置のハードウエア構成を示すブロック図である。
【図３】同実施形態に係る視聴率分析装置の機能構成を示すブロック図である。
【図４】同実施形態に係る視聴率分析システムに使用される映像データベースの一例を示すブロック図である。
【図５】同実施形態に係る視聴率分析システムにおける処理の流れを示すフローチャートである。
【図６】実施形態に係る視聴率分析装置におけるディスプレイの表示例を示す模式図である。
【図８】表示画面の番組リストを示す図である。
【図７】表示画面の視聴率グラフを示す図である。
【図９】表示画面の再生映像を示す図である。
【図１０】表示画面のピークボトムファインダーと、ステータスバーを示す図である。
【発明を実施するための最良の形態】
【００１９】
以下、本発明を実施するための形態に係る視聴率分析装置、視聴率分析システム、視聴率分析方法、及びプログラムについて説明する。
【００２０】
まず、本発明の実施形態に係る視聴率分析システム１００の全体構成について説明する。図１は本発明の実施形態に係る視聴率分析システムを示す模式図である。本発明の実施形態に係る視聴率分析システム１００は、視聴率分析装置２００と、映像データベース６００と、視聴率データベース７００とを備える。
【００２１】
視聴率分析装置２００は、コンピュータで構成され、ＬＡＮ（Local Area Network）を介して映像データベース６００に接続されている。また、視聴率分析装置２００は、インターネット９００を介して視聴率データベース７００及びメタデータデータベース８００に接続されている。なお、視聴率分析装置２００と映像データベース６００、視聴率データベース７００、メタデータデータベース８００との接続は、ＬＡＮ、インターネットのいずれでもよい。
【００２２】
映像データベース６００には、過去の所定期間にわたる各チャンネルの映像データ、音声データ（以下映像データ、音声データを含めて映像データという）、及び番組名、開始時刻、終了時刻等のタイトルデータが蓄積され、所望の映像データ及びタイトルデータを送出可能とされている。視聴率データベース７００は、例えば視聴率調査会社で運営されており、所定期間にわたり複数チャンネルの経時的な視聴率データを格納されている。視聴率データベース７００は各放送局の各番組について調査した視聴率をインターネット９００経由で提供する。更に、メタデータデータベース８００には、各番組に関する各種の情報（メタデータ）が格納される。メタデータデータベース８００は、メタデータの提供業者によって運営されている。ここで、メタデータは各番組について提供業者によって作成された情報であり、テレビ番組の放送日、曜日、局名、分類、番組内容の要約、ヘッドライン、番組開始時刻、番組終了時刻、出演者、コーナーの名称、ジャンル等の各種情報を含む。このようなメタデータは、視聴率データベース７００、映像データベース６００からは取得できない。
【００２３】
視聴率分析装置２００は、操作者からの時間範囲の指定を含む要求に従って、視聴率データベース７００から取得した当該時間範囲の視聴率データに基づく視聴率グラフの描画データと、映像データベース６００から取得した当該時間範囲の再生映像を視聴率分析装置２００の画像表示装置であるディスプレイに表示する。これにより、図６に示すように、視聴率分析装置２００のディスプレイ４５０の表示領域５００には、表示しているチャンネルを表す番組リスト５１０と、各チャンネルの視聴率の変化を折れ線で示す視聴率グラフ５２０と、各チャンネルにおける再生映像領域５３０とが表示される。再生映像領域５３０には、各チャンネルで同時刻に放映されたチャンネル映像５３１〜５３６が縮小して表示される。この表示領域５００により、再生映像領域５３０により番組の内容を確認しつつ視聴率の分析を行うことができる。
【００２４】
以下、視聴率分析装置２００について説明する。図２は同実施形態に係る視聴率分析装置のハードウエア構成を示すブロック図である。視聴率分析装置２００は、ＣＰＵ(Central Processing Unit)２１０、ＲＡＭ（RandomAccess Memory）２２０、ＲＯＭ（Read Only Memory）２３０、ＨＤＤ（Hard Disc Drive）２４０、インターネット９００との通信制御装置２５０、入力インターフェース２６０、出力インターフェース２７０、ＬＡＮとの通信制御装置２８０を備える。この視聴率分析装置２００は、例えばノートブック型のコンピュータで構成され、ＣＰＵ２１０において本発明に係る視聴率分析プログラムを実行することにより、視聴率分析装置として機能する。
【００２５】
入力インターフェース２６０には、キーボード、マウス等の入力手段２６１が接続される。入力手段２６１からは、操作者からの表示チャンネル、時間範囲の指定、その他の指示が入力される。出力インターフェース２７０には、ディスプレイ、スピーカー等の出力手段２７１接続される。出力手段２７１のディスプレイには、表示領域５００が表示され、スピーカーからは選択したチャンネルの再生映像の音声が出力される。
【００２６】
また、通信制御装置２５０には、インターネット９００を介して視聴率データベース７００接続され、各チャンネルの調査対象視聴者についての時刻毎の視聴率データが取得される。また、通信制御装置２５０には、メタデータデータベース８００が接続され、番組のメタデータが取得される。更に、通信制御装置２８０には、ＬＡＮを介して映像データベース６００が接続され、指定された時間範囲における指定したチャンネルの映像データが取得される。
【００２７】
次に視聴率分析装置２００の機能について説明する。図３は同実施形態に係る視聴率分析装置の機能構成を示すブロック図である。視聴率分析装置２００は、制御部３１０、映像データベース接続部３２０、視聴率データベース接続部３３０、視聴率データ格納部３４０、分析対象範囲受付部３５０、視聴率データ抽出部３６０、視聴率グラフ生成部３７０、映像データ取得部３８０、表示用映像データ生成部３９０、表示用映像データ格納部４００、条件検索部４１０、帯番組指定部４２０、ピークボトム指定部４３０、表示設定部４４０、画像表示装置であるディスプレイ４５０、メタデータ取得部４６０、メタデータ格納部４７０を備える。
【００２８】
制御部３１０は視聴率分析装置２００の全体を制御する。映像データベース接続部３２０は、映像データベース６００との通信制御を行う。即ち、映像データベース６００に必要とする対象範囲（時間範囲、対象チャンネル）を送出する他、映像データベース６００から送出された映像データ受信する。視聴率データベース接続部３３０は、視聴率データベース７００との通信制御を行う。即ち、視聴率データベース７００から指定範囲における指定チャンネルの視聴率データを取得する。
【００２９】
視聴率データ格納部３４０は、視聴率データベース７００から取得した一定期間にわたる各チャンネルの視聴率データを格納する。視聴率データは、視聴率データベース７００からインターネット９００を経由して取得する他、例えばＣＤ−ＲＯＭ（Compact Disc Read Only Memory）、ＵＳＢ（Universal  Serial Bus）フラッシュメモリー等の記録媒体から取得することができる。ここで、視聴率データは、一定期間、例えば１週間にわたる所定のチャンネル（例えば地上波デジタル放送の第１チャンネルから第６チャンネル）について、所定単位時間（例えば１分）毎に記録されている。また、視聴地域、視聴者のターゲット別、即ち同時視聴人数別、年齢別、性別等とグループ別の視聴率も格納されている。これら指定時間、グループ等は、表示領域５００から適宜変更できる。
【００３０】
分析対象範囲受付部３５０は、入力手段２６１からの時間範囲の指定と、必要とするチャンネルの指定を格納する。時間の指定は、表示領域５００の入力領域や、視聴率グラフ５２０における時間軸を指定することで行える。視聴率データ抽出部３６０は、分析対象範囲受付部３５０が格納した時間範囲と指定されたチャンネルに基づいて視聴率データ格納部３４０から該当する視聴率データを抽出する。
【００３１】
視聴率グラフ生成部３７０は、分析対象範囲受付部３５０で抽出した視聴率データに基づいて出力手段２７１であるディスプレイに表示する視聴率グラフ５２０の描画データを生成する。描画データとしては、各時刻に対する各チャンネルの視聴率を表形式にまとめたものを使用できる。視聴率グラフ５２０は、図７に示すように、横軸が時間軸であり、縦軸が視聴率を表す折れ線グラフであり、複数のチャンネルの視聴率を示す折れ線が色彩等を変えて区別可能に表示される。
【００３２】
映像データ取得部３８０は、分析対象範囲受付部３５０に格納された時間範囲及び指定チャンネルに基づいて映像データベース６００から映像データを取得する。表示用映像データ生成部３９０は、映像データベース６００からの映像データを表示領域５００の再生映像領域５３０に表示する表示用映像データに変換する。表示用映像データ格納部４００は、表示用映像データを格納する。ディスプレイの表示領域５００において、各チャンネルの画像は、チャンネル映像５３１〜５３６として、取得された画像データで表示される画面より縮小された状態で任意のフレームレートで表示される。表示用映像データ格納部４００は、この表示に必要な表示用映像データ生成する処理を行う。
【００３３】
条件検索部４１０は、分析対象範囲受付部３５０に指定されたチャンネルや時間範囲、その他の条件に基づいて、視聴率データ格納部３４０と、表示用映像データ格納部４００から視聴率データ及び映像データを検索して取得する。視聴率データに基づいて視聴率グラフ生成部３７０で視聴率グラフの描画データを生成する。また、同様に取得した映像データに基づいて表示用映像データ格納部４００に表示用映像データを格納する。
【００３４】
帯番組指定部４２０は、異なる日に放送された同一チャンネルの同一番組、いわゆる帯番組を指定する。これにより、視聴率グラフ生成部３７０は、視聴率データ格納部３４０から指定した帯番組について各日における各時刻の視聴率データを取得して視聴率グラフ生成部３７０に視聴率グラフ描画データを生成させる。また、帯番組指定部４２０は、映像データベース６００から帯番組の映像データを取得し、表示用映像データ生成部３９０で再生用映像データに変換して表示用映像データ格納部４００に格納する。これより、ディスプレイの表示領域５００に帯番組の視聴率グラフ５２０として各日の視聴率をグラフとして表示し、再生映像領域５３０に各日の再生映像を表示する。
【００３５】
ピークボトム指定部４３０は、指定したチャンネルの指定した時間範囲において、視聴率グラフ５２０に表示された視聴率が極大（ピーク）となった時刻及び極小（ボトム）となった時刻を、視聴率データから検出する。また、ピークボトム指定部４３０は、検出したピーク及びボトムにおける再生映像を再生映像領域５３０に表示させる。
【００３６】
表示設定部４４０は、表示領域５００の表示状態を変更する、例えば、再生映像領域５３０の表示チャンネル数を１〜６以上の任意の数（例えば９）や、大きさ、表示レートとする。更に、番組リスト５１０、視聴率グラフ５２０、再生映像領域５３０の表示位置を変更することができる。ディスプレイ４５０は、例えば液晶ディスプレイであり、表示領域５００が表示される。
【００３７】
メタデータ取得部４６０は、メタデータデータベース８００からメタデータを取得する。取得されたメタデータはメタデータ格納部４７０に格納される。
【００３８】
次に映像データベース６００について説明する。図４は同実施形態に係る視聴率分析システムに使用される映像データベースの一例を示すブロック図である。映像データベース６００は、予め指定されたテレビチャンネル、例えば地上波放送、ＢＳ放送、ＣＳ放送の所望のチャンネルについて、指定期間にわたり、映像データを格納している。映像データベース６００は、視聴率分析装置２００の要求に従って、映像データを出力する。時間やチャンネルを特定するとことにより、任意の時間、チャンネルの映像データを出力することができる。
【００３９】
この映像データベース６００は、コンピュータで構成され、プログラムを実行することにより、以下の各部の機能を実現し、視聴率分析システム１００全体として実施形態に係る視聴率分析方法を実行する。
【００４０】
映像データベース６００は、図４に示すように、制御部６１０、映像取得部６２０、映像格納部６３０、映像抽出部６４０、送出映像格納部６５０、画像データ送出部６６０、通信制御部６７０を備える。制御部６１０は、映像データベース６００の全体を制御する。映像取得部６２０は、テレビチューナー等を備え、放送されるテレビ映像とメタデータを取得する。収集対象となるチャンネルは必要に応じて定められる。
【００４１】
映像格納部６３０は映像取得部６２０で取得した映像データを格納する。映像取得部６２０は大容量の記憶媒体で構成される。映像抽出部６４０は、視聴率分析装置２００から要求に基づいて、映像取得部６２０及び映像格納部６３０から対象となる時間範囲の映像データ及びメタデータを収集する。この映像データは、映像格納部６３０から通信制御部６７０を経て視聴率分析装置２００に送出される。
【００４２】
以上の構成により、視聴率分析システム１００において、視聴率分析装置２００では、ディスプレイ４５０の表示領域５００に、図６に示す、指定時間にわたる視聴率グラフ５２０と、再生映像領域５３０に指定時間にわたる再生映像が表示される。また、視聴率グラフ５２０には時間の経過とともに移動するヘアカーソル５２１が表示され、このヘアカーソル５２１で表示された時刻における各チャンネルの再生映像が再生映像領域５３０に表示される。
【００４３】
また、本実施形態に係る視聴率分析装置２００では、視聴率グラフ５２０の時間軸の座標位置をヘアカーソル５２１で指定することにより、指定時間中の任意の時刻を指定できる。抽出された時刻における表示用映像データ格納部４００から取り出されて表示領域５００の再生映像領域５３０に表示される。
【００４４】
次に視聴率分析システム１００における処理について説明する。図７は同実施形態に係る視聴率分析システムにおける処理の流れを示すフローチャートである。
【００４５】
まず、初期状態において、視聴率分析装置２００のディスプレイ４５０には初期画面が表示されている（ステップＳＡ１）。一方、映像データベース６００においては、映像取得部６２０に映像データが格納され（ステップＳＢ１）、メタデータデータベース８００にはメタデータが格納されている（ステップＳＣ１）。
【００４６】
この状態において、視聴率分析装置２００の初期画面から入力手段２６１によって視聴率を分析する対象範囲として指定時間範囲、対象チャンネルが分析対象範囲受付部３５０に入力される（ステップＳＡ２）。なお、指定範囲は、視聴者の年齢グループ、視聴人数等の細部にわたり行うことができる。これにより、視聴率分析装置２００は、視聴率データベース接続部３３０を介して視聴率データベース７００から当該対象範囲の視聴率データが取得され、視聴率データ格納部３４０に格納される（ステップＳＡ３）。また、視聴率分析装置２００から映像データベース６００及びメタデータデータベース８００に対象範囲が送出され（ステップＳＡ４）、映像データベース６００は、当該対象範囲を取得し（ステップＳＢ２）、対象範囲の映像データを抽出して取得する（ステップＳＢ３）。同様に、メタデータデータベース８００は、当該対象範囲のメタデータを取得し（ステップＳＣ２）、対象範囲のメタデータを抽出して取得する（ステップＳＣ３）。
【００４７】
一方視聴率分析装置２００では、視聴率データ抽出部３６０が指定された範囲の視聴率データを抽出して取得し視聴率データ格納部３４０に格納する（ステップＳＡ５）。そして、視聴率グラフ生成部３７０において、この抽出した視聴率データに基づく視聴率グラフを描画するための描画データを生成する（ステップＳＡ７）。
【００４８】
そして、視聴率分析装置２００は、ディスプレイ４５０の表示領域５００に視聴率グラフ５２０を表示し（ステップＳＡ９）。一方、映像データベース６００は、抽出された各チャンネルの映像データを送出する（ステップＳＢ４）。同様にメタデータデータベース８００からメタデータを送出する（ステップＳＣ４）。視聴率分析装置２００は、この各チャンネルの映像データ、メタデータを取得し（ステップＳＡ１０）、表示用映像データ格納部４００で、表示領域５００の再生映像領域５３０に表示する表示用映像データに変換し、表示用映像データ格納部４００に格納する。
【００４９】
これらのデータに基づいて、視聴率分析装置２００は、ディスプレイ４５０の表示領域５００に表示領域５００中に視聴率グラフ５２０、再生映像領域５３０にチャンネル映像５３１〜５３６を表示する（ステップＳＡ１１）。これにより、表示領域５００には、視聴率グラフ５２０と再生映像領域５３０が表示され、時刻の経過による再生映像領域５３０の遷移とともに、再生映像領域５３０中のヘアカーソル５２１が移動する。
【００５０】
本実施形態に係る視聴率分析装置２００では、ヘアカーソル５２１移動用のスライダー５７０をマウスで移動させると、再生映像領域５３０のチャンネル映像５３１〜５３６もヘアカーソルで指定された時刻の映像を表示する。なお、表示される映像のフレームレートは、映像が確認できる程度に実際の映像よりも粗くても差し支えなく、例えば静止画であってもよい。このフレームレートは、視聴率分析装置２００の表示設定部４４０で設定する。
【００５１】
次に視聴率分析装置２００におけるディスプレイ４５０の表示領域５００について説明する。図６は同実施形態に係る視聴率分析装置におけるディスプレイの表示例を示す模式図である。また、図７は表示画面の視聴率グラフを示す図、図８は表示画面の番組リストを示す図、図９は表示画面の再生映像を示す図、図１０は表示画面のピークボトムファインダーと、ステータスバーを示す図である。
【００５２】
この例では、表示領域５００には、番組リスト５１０、視聴率グラフ５２０、再生映像領域５３０、ピークボトム指定部であるピークボトムファインダー５４０、分刻み送り指定部５５０、表示操作部５６０、ヘアカーソル５２１のスライダー５７０、再生映像領域５３０の時刻指定用のスライダー５８０が表示されている。また、表示領域５００には、ファイル操作ボタン５０１、表示設定ボタン５０２、ツールボタン５０３、音声ミュートボタン５０４、終了ボタン５０５が表示されている。なお、本実施形態においては、音声は、再生映像領域５３０のチャンネル映像５３１〜５３６をマウスで指定して選択したチャンネルのものが再生される。
【００５３】
番組リスト５１０には、図７に示すように、現在表示している視聴率グラフ５２０、及び再生映像領域５３０のチャンネルが表示される。番組リスト５１０の第１列には、再生映像の録画年月日、開始時刻、終了時刻、表示時刻が表示される。以下の列には、番組の開始時刻、終了時刻、チャンネル名、番組名又はコーナー名、平均視聴率（Ａｖｒ）が表示されている。この表は、メタデータデータベース８００から取得したメタデータ、視聴率データベース７００から取得した視聴率データから作成される。なお、図６では、第３チャンネルのチャンネル映像５３３を選択しているため、この第３チャンネルを表示する行が反転している。
【００５４】
番組リスト５１０の左行には、「単局」、「サーチ」、「他日」のボタンが配置されている。「単局」を選択すると、単一のチャンネルでの番組が時系列で表示される。また、「サーチ」を選択すると、番組の検索を行うことができる。更に、「他日」を選択すると、帯番組指定部４２０により、選択している番組の他の日における視聴率、及び再生映像を表示できる。「他日」を選択することで、異なる日に放送された同一チャンネルの帯番組についての視聴率の分析を容易に解析できる。
【００５５】
視聴率グラフ５２０は、図８に示すように、指定日の指定時間における各局の視聴率が折れ線グラフとして表示されている。なお、ヘアカーソル５２１の横には、ヘアカーソル５２１の表示時刻が表示されている。また、このヘアカーソル５２１は、スライダー５７０をマウスで操作することで移動することができる。
【００５６】
また、この例では、グラフの縦軸の上限値を自動としている。この指定は変更することができる。また、視聴地域を関東、視聴率のターゲット（年齢別、世帯、単身等の別）を世帯としている。このターゲットの指定は、年齢別、単身等に変更することができる。更に、グラフの拡大表示をグラフのマーカー以外の箇所でマウスホイールの操作で行うことができる。
【００５７】
図９は表示画面の再生映像を示す図である。本実施形態に係る視聴率分析装置２００おいて、ディスプレイの再生映像領域５３０には、６つのチャンネル映像５３１〜５３６が表示されている。この数は表示操作部５６０の画面数指定ボタン５６１で、例えば１画面〜９画面の間で変更することができる。各チャンネル映像５３１〜５３６は、図９に示す項目を表示する。この例では、第４チャンネルを表示している。チャンネル映像５３４には、視聴率表示領域５３４Ａ、放送局名及び放送年月日時間表示領域５３４Ｂ、視聴率設定ボタン５３４Ｃ、スナップショットボタン５３４Ｄ、番組名表示領域５３４Ｅ、番組映像表示領域５３４Ｆに区分され表示されている。視聴率設定ボタン５３４Ｃの設定で、視聴率表示領域５３４Ａに表示される視聴率の調査対象を変更することができる。例えば、個人、世帯、単身等に変更できる。また、スナップショットボタン５３４Ｄを操作することにより、番組映像表示領域５３４Ｆの静止画を取得することができる。
【００５８】
ピークボトム指定部であるピークボトムファインダー５４０は、図１０（ａ）に示すように、指定番組設定部５４１、ピーク操作部５４２、ボトム指定部５４３を備える。
このピークボトムファインダー５４０では、指定番組設定部５４１で設定した対象について、視聴率の極大（ピーク）及び極小（ボトム）を次々に検索することができる。指定番組設定部５４１では、番組指定、放送局を指定、全局の指定を選択する。ピーク操作部５４２の２つの矢印の一方を指定することで、選択した番組の次の又は前のピークを順次検出することができる。同様に、ボトム指定部５４３では、選択した番組の次の又は前のボトムを順次検出することができる。
【００５９】
分刻み送り指定部５５０は、図１０（ｂ）に示すように、直前の分指定部５５１、分の頭指定部５５２、直後の分指定部５５３を備える。通常視聴率が分単位で測定されることから、直前の分指定部５５１を選択して、現在表示している視聴率を測定した時刻の１分前の測定開始時に移動する。同様に分の頭指定部５５２を選択して、現在表示している視聴率を測定した時刻の分の開始時に移動する。更に、直後の分指定部５５３を選択して、現在表示している視聴率を測定した時刻の１分後の測定開始時に移動する。これにより、分単位での視聴率分析が可能となる。
【００６０】
表示操作部５６０は、図１０（ｃ）に示すように、チャンネル映像の画面数指定ボタン５６１、番組名・コーナー名設定ボタン５６２、スタートボタン５６３、一時停止ボタン５６４、停止ボタン５６５、再生速度倍率指定ボタン５６６、映像データベースのアドレス表示５６７を備える。画面数指定ボタン５６１を操作して、１〜６、それ以上の画面数を選択できる。また、番組名・コーナー名設定ボタン５６２を操作して番組リスト５１０及び再生映像領域５３０に表示される番組名（例えばチャンネル映像５３１の「ＡＡＡＡ」の表示）を、番組の名称、又は番組中のコーナー名に変更できる。これにより、表示されている映像がどのような内容かをより詳細に知ることができる。更に、スタートボタン５６３、一時停止ボタン５６４、停止ボタン５６５により、再生映像領域５３０におけるチャンネル映像５３１〜５３６のスタート、一時停止、停止を操作することができる。再生速度倍率指定ボタン５６６を操作して、静止画、１倍速、…、１０倍速、…等での再生ができる。
【００６１】
更に、本実施形態に係る視聴率分析装置２００では、例えば時間と視聴率のポイント値を指定して、特定の時間に指定したポイント数視聴率が上昇又は下降した番組を検索して表示することができる。また、視聴率分析装置２００では、視聴率の値を設定して、この値を下回る番組や、この値を上回る番組を検索することができる。この処理は、ツールボタン５０３の操作により、サーチ機能を動作させ、条件検索部４１０で条件検索することにより実現できる。これらの処理により、視聴率の変動原因をより的確に分析できる。
【００６２】
以上のように本実施形態に係る視聴率分析システムによれば、視聴率についてより詳細な分析を容易に行うことができる。即ち、本実施形態に係る視聴率分析システムでは、指定した時刻における視聴率の動向と、放送されたテレビ映像を確認でき、時間経過に伴う番組内容の変化と、視聴率の変換とを関連付けて分析できる。
【００６３】
なお、上記実施形態では、解析対象である視聴率データとしては、テレビ放送を実時間で視聴している視聴者を対象とする場合を例について説明したが、本発明は、視聴率データとして、他の態様のものにも対応できる。すなわち、録画してから視聴するタイムシフト視聴、テレビ受像器以外のデバイス（例えばコンピュータやスマートフォン）による視聴等を対象とする視聴率データに対応できる。さらに、テレビ放送の他、インターネット上で配信される動画を対象とする視聴率データについても同様に適用できる。本発明では、このような視聴率についても、視聴率を時間軸上でグラフに表示し、時間軸に対応する再生画面を表示でき、同様に解析できる。
【産業上の利用可能性】
【００６４】
本発明に係る視聴率分析装置、視聴率分析システム、視聴率分析方法、及び視聴率分析プログラムは、視聴率と放送された映像の内容を対比しつつ詳細かつ容易に分析できるので、テレビ放送業、テレビ番組制作業、映像配信業、映像作成業において利用可能性がある。
【符号の説明】
【００６５】
１００：視聴率分析システム
２００：視聴率分析装置
２１０：ＣＰＵ
２２０：ＲＡＭ
２３０：ＲＯＭ
２４０：ＨＤＤ
２５０：通信制御装置
２６０：入力インターフェース
２６１：入力手段（キーボード、マウス）
２７０：出力インターフェース
２７１：出力手段（ディスプレイ、スピーカー）
２８０：通信制御装置
３１０：制御部
３２０：映像データベース接続部
３３０：視聴率データベース接続部
３４０：視聴率データ格納部
３５０：分析対象範囲受付部
３６０：視聴率データ抽出部
３７０：視聴率グラフ生成部
３８０：映像データ取得部
３９０：表示用映像データ生成部
４００：表示用映像データ格納部
４１０：条件検索部
４２０：帯番組指定部
４３０：ピークボトム指定部
４４０：表示設定部
４５０：ディスプレイ
４６０：メタデータ取得部
４７０：メタデータ格納部
５００：表示領域
５０１：ファイル操作ボタン
５０２：表示設定ボタン
５０３：ツールボタン
５０４：音声ミュートボタン
５０５：終了ボタン
５１０：番組リスト
５２０：視聴率グラフ
５２１：ヘアカーソル
５３０：再生映像領域
５３１〜５３６：チャンネル映像
５３４Ａ：視聴率表示領域
５３４Ｂ：放送局名及び放送年月日時間表示領域
５３４Ｃ：視聴率設定ボタン
５３４Ｄ：スナップショットボタン
５３４Ｅ：番組名表示領域
５３４Ｆ：番組映像表示領域
５４０：ピークボトムファインダー（ピークボトム指定部）
５４１：指定番組設定部
５４２：ピーク操作部
５４３：ボトム指定部
５５０：分刻み送り指定部
５５１：直前の分指定部
５５２：分頭指定部
５５３：直後の分指定部
５６０：表示操作部
５６１：指定ボタン
５６２：番組名設定ボタン
５６３：スタートボタン
５６４：一時停止ボタン
５６５：停止ボタン
５６６：再生速度倍率指定ボタン
５６７：アドレス表示
５７０：スライダー
５８０：スライダー
６００：映像データベース
６１０：制御部
６２０：映像取得部
６３０：映像格納部
６４０：映像抽出部
６５０：送出映像格納部
６６０：画像データ送出部
６７０：通信制御部
７００：視聴率データベース
８００：メタデータデータベース
９００：インターネット
【図１】
0006679214.tif 000002
【図２】
0006679214.tif 000003
【図３】
0006679214.tif 000004
【図４】
0006679214.tif 000005
【図５】
0006679214.tif 000006
【図６】
0006679214.tif 000007
【図７】
0006679214.tif 000008
【図８】
0006679214.tif 000009
【図９】
0006679214.tif 000010
【図１０】
0006679214.tif 000011